(57)【要約】【課題】  光源ドライバの発熱による表示ムラを抑制する。【解決手段】  本発明は、光源からの光で照明される液晶表示パネルと、光源を駆動する光源ドライバを備えた液晶表示モジュールに関し、液晶表示パネルに接続されたフレキシブル回路基板は、折り曲げ可能に形成される接続部と、液晶表示パネルと重なり合わない位置に形成された突出部を有し、突出部に光源ドライバが実装されている。そのため、光源ドライバの発熱が液晶表示パネルに影響を及ぼすことがない。【選択図】  図２
2007226065.tif 000002
【特許請求の範囲】
【請求項１】
表示面を有する液晶表示パネルと、
前記表示面へ照明光を供給する光源と、
前記光源を駆動する光源ドライバと、
前記液晶表示パネルに接続され、前記光源ドライバが実装されるフレキシブル回路基板を備え、
前記フレキシブル回路基板は、折り曲げ可能に形成される接続部と、前記液晶表示パネルと重なり合わない位置に形成された突出部を有し、前記突出部に前記光源ドライバが実装されることを特徴とする液晶表示モジュール。
【請求項２】
前記突出部は、前記液晶表示パネルと平行に延出したことを特徴とする請求項１に記載の液晶表示モジュール。
【請求項３】
前記接続部と前記突出部は横方向に並設される請求項１または２に記載の液晶表示モジュール。
【発明の詳細な説明】
【技術分野】
【０００１】
本発明は、液晶表示モジュール（以下「ＬＣＭ」と称す）に係り、特に温度分布に起因する液晶表示モジュールの表示むらに対応する技術に関する。
【背景技術】
【０００２】
液晶表示パネル（以下「ＬＣＤ」と称す）を備えるＬＣＭは、携帯電話、その他さまざまな移動体通信機器（ページャ、ハンディーターミナル等）等に装備され、表示面を介してユーザに情報を表示する。ＬＣＤの液晶表示結果は温度により変化する。したがって、液晶表示結果を一定にし、良好な表示品位を得るために、例えば、温度が低いときＬＣＤへの駆動電圧は高くする等の制御が必要になる。ここで言う「温度」は、主に外気温の意味であり、外気温は移動体通信機器が使用される環境により変化する。
【０００３】
次に述べるように、液晶表示結果に影響する温度変化は、外気温の変化だけでなく、局所的な部品発熱による温度ムラもあり、これにも対応する必要がある。
【０００４】
図５は、従来のＬＣＤにフレキシブル回路基板（以下「ＦＰＣ」と称す）が接続された構成の液晶表示モジュールを表す平面図であり、ＦＰＣとＰＣＢ基板が接続される前の状態を示す。図６は、図５のＦＰＣとＰＣＢ基板が接続された状態を示す断面図である。図６に示すように、フレーム１内には、次の各要素がほぼ層状をなすように収納される。即ち、ＬＣＤ２は、縦横複数の画素からなる表示面を有し、表示面によりユーザに画像を表示する。これらの画素の点灯状態は、ＬＣＤ２の端部側に実装されるＬＣＤドライバ３により制御される。ＬＣＤ２の下面側には、光源であるＬＥＤ６が発する光をＬＣＤ２の表示面側へ導光する導光板７が配置される。
【０００５】
ＬＣＤドライバ３には、ＬＣＤとＰＣＢ基板８は所定の回路パターンが形成された第一のＦＰＣ４で接続されている。そのためＬＣＤドライバ３にはＰＣＢ基板から第一のＦＰＣを経由してロジック電圧等の制御信号が入力される。一方、ＬＥＤ６は所定の回路パターンが形成された第二のＦＰＣ１３に実装され、第二のＦＰＣ１３はＰＣＢ基板８の所定箇所へ接続される。ＰＣＢ基板８には、ＦＰＣ４、１３から離間した位置に、ＬＥＤ６の点灯状態を制御するＬＥＤドライバ５が実装される。なお通常、ＰＣＢ基板８には、コネクタ９が設けられており、他のインターフェイスＦＰＣ１０をさらにＰＣＢ基板８に形成される回路パターンへ接続できるようになっている。携帯電話にこのＬＣＭが装備される場合には、インターフェイスＦＰＣ１０には、例えば、ユーザの入力を受け付けるキーセットからの信号を伝える回路が設けられる。
【０００６】
さて近年、晴天の野外等明るい環境においても、良好な表示品位が得られるように、表示面をより明るく、即ちＬＥＤ６がより強い光を照射するように求められ、より多くの電力が必要とされる場合が多い。図５に示したように、ＬＣＤ２はフレーム１のほぼ全域を覆うように大きな部材であるが、ＬＥＤ６を制御するＬＥＤドライバ５は、ＬＣＤ２に比べ非常に小さい。そして、ＬＥＤドライバ５自体が、上述のような制御を行うために、非常に高温になる傾向が強く、動作中には、しばしば人手でふれられない程度の温度に達する。熱的に見れば、ＬＥＤドライバ５は、ＬＣＤ２へ熱を伝達させるスポット的な熱源であるとも言うことができる。即ち、ＬＣＤ２から見れば、点状のＬＥＤドライバ５が高温に達し、その熱が導光板７を介してＬＣＤ２に伝達される。ＬＣＤ２は大きいので、ＬＣＤ２のうちＬＥＤドライバ５に近い箇所は、強く熱せられ、その箇所から遠ざかるにつれて、通常の温度となる。つまり、表示面において、ＬＥＤドライバ５に近い画素群と、それから遠い画素群において、この温度ムラに起因して、液晶の特性が変化してしまうことになり、表示ムラが発生する。特に、応答速度の変化やコントラストのムラを生じ、結果として見栄えが低下する。従来技術では、このような現象に対応できない。
【発明の開示】
【発明が解決しようとする課題】
【０００７】
そこで本発明は、光源ドライバの発熱による表示ムラを抑制できる液晶表示モジュールを提供することを目的とする。
【課題を解決するための手段】
【０００８】
本発明に係る液晶表示モジュールは、表示面を有する液晶表示パネルと、表示面へ光を供給する光源と、光源を駆動する光源ドライバと、液晶表示パネルから延出し、光源ドライバが実装されるフレキシブル回路基板を備え、フレキシブル回路基板は、折り曲げ可能に形成される接続部と、液晶表示パネルと重なり合わない位置に形成された突出部を有しており、光源ドライバが突出部に実装されている。
【発明の効果】
【０００９】
本発明によれば、光源ドライバの発熱による表示ムラを抑制でき、その結果、液晶表示モジュールの表示品位を向上できる。
【００１０】
本発明は、光源からの光で照明される液晶表示パネルと、光源を駆動する光源ドライバを備えた液晶表示モジュールに関し、液晶表示パネルに接続されたフレキシブル回路基板は、折り曲げ可能に形成される接続部と、液晶表示パネルと重なり合わない位置に形成された突出部を有し、突出部に光源ドライバが実装されている。好ましくは、光源が発する光を表示面へ導光する導光板をさらに設け、光源をＬＥＤとする。こうすれば、液晶表示モジュールをコンパクトに形成できるし、消費電力を節約できる。さらに、突出部は液晶表示パネルと平行に延出するように形成されている。こうすれば、ヒンジ部等のデッドスペースを有効活用して端末装置をコンパクトに形成できるし、光源ドライバを安定した姿勢で支持することができる。さらに、接続部と突出部を横方向に並設する構成とした。こうすれば、フレキシブル回路基板の全体の幅を拡大しなくとも、目的を達成できる。
【実施例】
【００１１】
図１は本実施例の液晶表示モジュールを模式的に示す平面図であり、図３はその斜視図であり、図２はこれにＰＣＢ基板が接続された状態を示す断面図である。図４は同状態を示す斜視図である。なお、図１〜４において、ＬＣＭの筐体の図示は省略している。
【００１２】
図１、２に示すように、フレーム１内には、次の各要素がほぼ層状をなすように収納される。即ち、ＬＣＤ２は、縦横複数の画素からなる表示面を有し、表示面によりユーザに画像を表示する。これらの画素の点灯状態は、ＬＣＤ２の一端（その先は、クラムシェル開閉部のヒンジ部を形成する場合、筐体内において、図２、図４に示すようにデッドスペース１２となっている。）側に実装されるＬＣＤドライバ３により制御される。ＬＣＤドライバ３は、図示しないが、ＬＣＤ２のＸ軸駆動を制御するセグメント信号とＹ軸駆動を制御するコモン信号とを、ＬＣＤ２に出力する。ＬＣＤ２の下面側には、光源であるＬＥＤ６が発する光をＬＣＤ２の表示面側へ導光する導光板７が配置される。
【００１３】
ＦＰＣ１１にはＬＥＤドライバ５が実装され、フレーム１から延出している。ＦＰＣ１１は、間に切り込みｔが入れられた２つの片を有する。そのうち、接続部としての長片部１１ａは、クラムシェル開閉部のヒンジ部（デッドスペース１２）において折り曲げ可能に形成され、ＬＣＤドライバ３に接続される。また、突出部としての短片部１１ｂは、ＬＣＤ２と重なり合わない位置において筐体のデッドスペース１２内に収納可能となるように、長片部１１ａとは別に、長片部１１ａよりも短く形成されると共に、その面上にはＬＥＤドライバ５が実装される。
【００１４】
図２に示すように、長辺部１１ａは折り曲げられ、ＰＣＢ基板８に接続されている。筐体は、図２に示す状態のフレーム１、ＦＰＣ１１、ＰＣＢ基板８、デッドスペース１２等を覆うように構成されているものである。短片部１１ｂは、ＬＣＤ２と平行な姿勢となり折り曲げられず、長片部１１ａと短片部１１ｂとは、横方向に並設される。なお、短片部１１ｂは接続片１１ｃを介してＬＥＤ６に接続される。ここで、ＦＰＣ１１は、ある程度の弾性を有し、図４に示すように、折り曲げると元のまっすぐな姿勢に戻る方向へ復元力が発生する。言い換えれば、ＬＣＤ２が起きあがろうとする向きの力が働く。しかしながら、切り込みｔを設け、短片部１１ｂが折れ曲がらないように構成しているので、それだけ、この力を削減できる。
【００１５】
なお通常、ＰＣＢ基板８にはコネクタ９が設けられており、他のインターフェイスＦＰＣ１０をさらにＰＣＢ基板８に形成される回路パターンへ接続できるようになっている。携帯電話にこのＬＣＭが装備される場合には、インターフェイスＦＰＣ１０には、ユーザの入力を受け付けるキーセットからの信号を伝える回路等が設けられる。
【００１６】
前述のように、ＬＣＤ２はフレーム１のほぼ全域を覆うように大きな部材であるが、ＬＥＤ６を制御するＬＥＤドライバ５は、ＬＣＤ２に比べ非常に小さく、ＬＥＤドライバ５自体が、上述のような制御を行うために、非常に高温になる傾向が強い。熱的に見れば、ＬＥＤドライバ５は、ＬＣＤ２へ熱を伝達させるスポット的な熱源である。
【００１７】
しかしながら、ＬＥＤドライバ５は短片部１１ｂに実装されており、短片部１１ｂがＬＥＤドライバ５の熱に対する熱抵抗としての役割を果たし、ＬＥＤドライバ５がＬＣＤ２や導光板７から離れた位置に存在することになるから、ＬＣＤ２に熱が伝わりにくい。したがって、温度ムラに起因する表示ムラを大幅に抑制できる。しかも、ＬＥＤドライバ５及び短片部１１ｂが配置されるデッドスペース１２は、従前何も利用されていなかったので、このようにしても支障がないだけでなく、サイズの増加等特別な措置を講ずる必要がない。ここでは、ＬＥＤドライバ５は、短片部１１ｂの所定箇所に、例えば、異方性導電膜等によりフリップチップ実装される。以上述べたように、ＬＥＤドライバ５に折り曲げによる荷重が作用しないから、ＬＥＤドライバ５の半田付け部分の信頼性が向上し、一層好適である。
【図面の簡単な説明】
【００１８】
【図１】本発明の液晶表示パネル及びフレキシブル回路基板の平面図である。
【図２】本発明のフレキシブル回路基板をＰＣＢ基板に接続した液晶表示モジュールの断面図である。
【図３】本発明の液晶表示パネル及びフレキシブル回路基板の斜視図である。
【図４】本発明のフレキシブル回路基板をＰＣＢ基板に接続した液晶表示モジュールの斜視図である。
【図５】従来の液晶表示パネル及びフレキシブル回路基板の平面図である。
【図６】従来のフレキシブル回路基板をＰＣＢ基板に接続した液晶表示モジュールを示す断面図である。
【符号の説明】
【００１９】
１  フレーム
２  ＬＣＤ
３  ＬＣＤドライバ
４  フレキシブル回路基板
５  ＬＥＤドライバ
６  ＬＥＤ
７  導光板
８  ＰＣＢ基板
９  コネクタ
１０  インターフェイスフレキシブル回路基板
１１  フレキシブル回路基板
１１ａ  接続部（長片部）
１１ｂ  突出部（短片部）
１１ｃ  接続片
１２  デッドスペース
【図１】
2007226065.tif 000003
【図２】
2007226065.tif 000004
【図３】
2007226065.tif 000005
【図４】
2007226065.tif 000006
【図５】
2007226065.tif 000007
【図６】
2007226065.tif 000008